(57)【特許請求の範囲】
【請求項１】
発光管に続く封止管と発光管内に配置される電極を支持するリード棒とが段継ぎガラスによって封着され、前記封止管に冷却風を通す通風口を有する口金が取付られたショートアーク型放電ランプにおいて、
前記リード棒が貫通する前記段継ぎガラスの外方に形成される前記口金の内部空間に、前記リード棒または前記リード棒に接続されたリード線から間隙を介して設けられ、前記通風口から導入された冷却風を前記間隙に導風する導風板を設けたことを特徴とするショートアーク型放電ランプ。
【請求項２】
発光管に続く封止管と発光管内に配置される電極を支持するリード棒とが段継ぎガラスによって封着されたショートアーク型放電ランプにおいて、
前記リード棒が貫通する前記段継ぎガラスの外方に形成される空間に、前記リード棒またはリード棒に接続されたリード線から間隙を介して設けられ、導入された冷却風を前記間隙に導風する導風板を設けたことを特徴とするショートアーク型放電ランプ。
【請求項３】
前記導風板は、該導風板の前記リード棒または前記リード線に対向する部分が１８０度以内の角度を有するように形成されていることを特徴とする請求項１または請求項２に記載のショートアーク型放電ランプ。
【請求項４】
前記導風板は、前記リード棒からの放射方向に複数枚配置されていることを特徴とする請求項１ないし請求項３のいずれか１つの請求項に記載のショートアーク型放電ランプ。
【発明の詳細な説明】
【０００１】
【発明の属する技術分野】
本発明は、ショートアーク型放電ランプに係り、例えば、光変調素子に光を当てて、反射された光によって映像を映し出す投影装置等の光源に好適なショートアーク型放電ランプに関する。
【０００２】
【従来の技術】
従来からプロジェクタ等の投影装置の光源として、図１５に示すような、発光管内にキセノンを封入したショートアーク型放電ランプが知られている。
このランプは、輝度を上げるために点灯中は発光管の内圧が非常に高くなることから、高い内圧でもランプ封止部が破損しないように設計する必要があるため、また、ランプに大電流を流すことから、放電電極を支持するリード棒を発光管に続く封止部から外部に突出させる必要があるために、封止管とリード棒間の封止に、段継ぎガラスが採用されている。
【０００３】
ところで、近年は、このようなショートアーク型放電ランプを組み込んだ投影装置を持ち運んで、様々な場所で利用する傾向にある。そのため、投影装置のコンパクト化、小型化が求められ、ランプの小型化が必要とされている。
ランプを小型化するためには、ランプ長を短くする必要があるが、図１５に示すような従来のショートアーク型放電ランプについて言えば、放電電極の後端部と段継ぎガラスとによってリード棒とが封着される封着部間の距離Ｌを短くする必要がある。しかし、この距離Ｌを短くすると、段継ぎガラスの封着部と放電電極とが近接することとなり、封着部の温度が上昇し、封着部が破損する問題が起きる。
【０００４】
従来、このようなショートアーク型放電ランプの封着部の温度上昇を防止するために、実用新案登録公報第２５３２７１２号によれば、封着部外に突出しているリード棒に冷却フィン等の冷却部材を設けて冷却し、封着部の温度上昇を防止する手段等が採用されている。
【０００５】
【発明が解決しようとする課題】
しかし、上記の公報に示されるような冷却手段では、リード棒に放熱フィンが取り付けられるために、その重さでリード棒と段継ぎガラスとの封着部に負荷がかかり、封着部が破損する恐れがある。
【０００６】
また、上述のごとく、従来技術のものでは、封着部を十分冷却することができないので、上記距離Ｌをそれ程短くすることができないという問題がある。
【０００７】
本発明の目的は、上記の種々の問題点に鑑みて、段継ぎガラスとリード棒との封着部に何等の負荷をかけずに、リード棒と段継ぎガラスとの封着部を確実に冷却して、ランプの小型化、高出力化を図ったショートアーク型放電ランプを提供することにある。
【０００８】
【課題を解決するための手段】
本発明は、上記の課題を解決するために、次のような手段を採用した。
第１の手段は、発光管に続く封止管と発光管内に配置される電極を支持するリード棒とが段継ぎガラスによって封着され、前記封止管に冷却風を通す通風口を有する口金が取付られたショートアーク型放電ランプにおいて、前記リード棒が貫通する前記段継ぎガラスの外方に形成される前記口金の内部空間に、前記リード棒または前記リード棒に接続されたリード線から間隙を介して設けられ、前記通風口から導入された冷却風を前記間隙に導風する導風板を設けたことを特徴とする。
【０００９】
第２の手段は、第１の手段において、発光管に続く封止管と発光管内に配置される電極を支持するリード棒とが段継ぎガラスによって封着されたショートアーク型放電ランプにおいて、前記リード棒が貫通する前記段継ぎガラスの外方に形成される空間に、前記リード棒またはリード棒に接続されたリード線から間隙を介して設けられ、導入された冷却風を前記間隙に導風する導風板を設けたことを特徴とする。
【００１０】
第３の手段は、第１の手段または第２の手段において、前記導風板は、該導風板の前記リード棒または前記リード線に対向する部分が１８０度以内の角度を有するように形成されていることを特徴とする。
【００１１】
第４の手段は、第１の手段ないし第３の手段のいずれか１つの手段において、前記導風板は、前記リード棒からの放射方向に複数枚配置されていることを特徴とする。
【００１２】
【発明の実施の形態】
本発明の第１の実施形態を図１ないし図３を用いて説明する。
図１は、本実施形態に係るショートアーク型放電ランプ１の構成を示す断面図、図２はショートアーク型放電ランプ１の軸方向から見た通風口５１，５２におけるリード棒と導風板との位置関係を示す図である。
【００１３】
同図において、１はショートアーク型放電ランプ、１１は放電電極２が配置されるショートアーク型放電ランプの発光管、１２は発光管１１の両端側に続いて形成される封止管、２は放電電極、３は放電電極２を支持するリード棒、４は封止管１２とリード棒３を封着する段継ぎガラス、４１はリード棒３を封着する段継ぎガラス４の封着部、５は封止管１２の両端部の外側に設けられる口金、５１は口金に設けられ冷却風を流入させるために開口された流入側通風口、５２は口金に設けられ冷却風を流出させるために開口された流出側通風口、６はリード棒３以外の箇所に取り付けられ、かつリード棒３と所定の間隙Ｋを介して複数枚配置された、流入側通風口５１から流入した冷却風を間隙Ｋに導風する導風板である。上記間隙Ｋの間隔は、導風板６によって導風された冷却風が間隙Ｋを通過する際、流速を高められるリード棒３ないしリード線を冷却するのに最適な間隔に定められる。
【００１４】
ここでは、４枚の板状の導風板６が、封止管１２から外部に突出したリード棒６またはリード棒６に接続された図示されていないリード線から所定の間隙Ｋを介して、放射状に互いに離間して設けられる。即ち、図２に示すように、各導風板６は、リード棒３からの放射方向に、隣接する各導風板６とが所定の角度を持って配置される。
【００１５】
図３は図１に示すショートアーク型放電ランプを用いたプロジェクタ等の投影装置の一例を示す図である。
【００１６】
同図において、７はショートアーク型放電ランプ１から放射された光を所定方向に反射する反射鏡、８は投影装置の筐体、８１は反射鏡７から反射された光を放射する放射窓、８２は冷却風を筐体８内に導入する冷却風導入口、８３は冷却後の風を排出する排出口である。なお、ここでは冷却風導入口８２側に位置するショートアーク型放電ランプの一方の口金５は内部が開示して示されている。
【００１７】
これらの図に示すように、本実施形態のショートアーク型放電ランプ１では、ランプ点灯時、図示していない冷却装置から冷却風が、冷却風導入口８２から筐体８内に導入され、さらにショートアーク型放電ランプ１の口金５に設けられた流入側通風口５１から口金５内に導入される。導入された冷却風は導風板６の傾斜面に沿ってリード棒３またはリード線に向かって導風され、さらに導風板６とリード棒３またはリード線間に形成された間隙Ｋを介して流通し、リード棒３またはリード線を冷却する。
【００１８】
即ち、導風板によって導風された冷却風は、導風板６とリード棒３またはリード線間の狭い間隙Ｋを流通する際に流速が高められるので、流入された冷却風の流速、流量が小さくても、リード棒３ないしリード線を効果的に冷却することができ、その結果、段継ぎガラス４とリード棒３との封着部４１を確実に冷却することができる。
【００１９】
以下に、本実施形態の発明に係るショートアーク型放電ランプの具体的構成例を図１に基づいて説明する。
ショートアーク型放電ランプの両端（口金５，５）間の寸法Ａは２４０ｍｍ、電極２と口金５間の寸法Ｂは１２０ｍｍ、電極２と封着部４１間の寸法Ｃは６５ｍｍ、封着部４１と段継ぎガラスの外方の開口部間の寸法Ｄは２０ｍｍ、開口部と口金５端部間の寸法Ｅは２０ｍｍ、電極間寸法Ｆは３ｍｍ、封止管の外径φは５０ｍｍである。
このショートアーク型放電ランプにおいては、点灯時のランプ電圧３０Ｖ、ランプ電流８３Ａ、入力電力２５００Ｗにおいて、封着部分の温度が４５０℃となり、従来のものの５５０℃に比べて１００℃近い温度低下が見られた。
【００２０】
なお、本実施形態では、図２に示すように、リード棒３またはリード線に対して所定の間隙Ｋを介して４枚の導風板６を放射状に配置する例について説明したが、導風板はこのような構成に限定されるものではない。
【００２１】
図４および図５は、それぞれ本実施形態の導風板６と設置枚数が異なる第２および第３の実施形態に係るショートアーク型放電ランプのリード棒と導風板との位置関係を示す図である。
【００２２】
図４に示すショートアーク型放電ランプでは、リード棒３またはリード線に対して間隙Ｋを介して１枚の導風板６を放射状に配置した場合であり、本実施形態のショートアーク型放電ランプでは、ランプ点灯時、冷却風がショートアーク型放電ランプ１の流入側通風口５１から口金５内に導入されると、冷却風は、導風板６に沿ってリード棒３またはリード線に向かって導風され、さらにリード棒３またはリード線間に形成された間隙Ｋを介して流速が速められて通風されるので、リード棒３またはリード線を効果的に冷却することができる。なお、図４においては、導風板６とリード棒３またはリード線間に間隙Ｋを介在させるように構成したが、間隙Ｋを設けることなく、導風板６とリード棒３またはリード線とを接触ないし近接して配置してもよい。この場合は、導入された冷却風は導風板６によってリード棒３またはリード線に導風されて冷却される。
【００２３】
図５に示すショートアーク型放電ランプでは、リード棒３またはリード線に対して間隙Ｋを介して２枚の導風板６を放射状に配置した場合であり、本実施形態のショートアーク型放電ランプによれば、ランプ点灯時、冷却風がショートアーク型放電ランプ１の流入側通風口５１から口金５内に導入されると、冷却風は、２枚の導風板６に沿ってリード棒３またはリード線に向かって導風され、さらにリード棒３またはリード線間に形成された間隙Ｋを介して流速が速められて通風されるので、リード棒３またはリード線を効果的に冷却することができる。なお、図５においても、一方の導風板６とリード棒３またはリード線間に間隙Ｋを介在しないように配置してもよい。この場合は、冷却風は一方の間隙Ｋを介在しない導風板６によってリード棒３またはリード線に導風され、他方の間隙Ｋを介して配置された導風板６によっては間隙Ｋに通風され、リード棒３またはリード線が冷却される。
【００２４】
なお、上記第１の実施形態ないし第３の実施形態に係るショートアーク型放電ランプは口金５を有し、口金５には所定の位置に流入側通風口５１、流出側通風口５２が設けられているので、各導風板６は、流入側通風口５１や流出側通風口５２の位置に対して互いに最適な位置、角度で設ける必要がある。
【００２５】
このように上記の第１ないし第３の実施形態の発明によれば、段継ぎガラス４とリード棒３との封着部に何等の負荷をかけずに、リード棒３を冷却することができ、それに伴い、段継ぎガラス４の封着部４１も冷却することができるので、電極２と封着部４１との間の距離が短くなり、ランプ長を短くすることができるので、ランプの小型化や高出力化が可能となる。またランプを小型化しない場合であっても、冷却風を送る冷却装置の小型化や冷却ファンの静穏化等が可能となる。
【００２６】
次に、本発明の第４ないし第６の実施形態をそれぞれ図６ないし図８を用いて説明する。
図６ないし図８は、それぞれ第１ないし第３の実施形態に係る口金を有するショートアーク型放電ランプに対して、口金を有しないショートアーク型放電ランプのリード棒と導風板との位置関係を示す図である。
【００２７】
図６に示すショートアーク型放電ランプでは、リード棒３またはリード線に対して間隙Ｋを介して４枚の導風板６を放射状に配置した場合を示すものであり、各導風板６は封止管１２に取り付けられる。
【００２８】
本実施形態の発明によれば、ランプ点灯時、冷却風がショートアーク型放電ランプ１に導入されると、冷却風は、導風板６に沿ってリード棒３またはリード線に向かって導風され、さらにリード棒３またはリード線間に形成された間隙Ｋを介して流速が速められて通風されるので、リード棒３またはリード線を効果的に冷却することができる。さらに、本実施形態の発明では、４枚の導風板６を放射状に配置した場合について説明したが、少なくとも、３枚以上の導風板を用いる場合は、リード棒３に対して各導風板の取付角度を適切に設定することにより、ショートアーク型放電ランプの投影装置等の装置への取付角度に拘わらず、常にリード棒３ないしリード線を安定的に冷却することが可能である。
【００２９】
図７に示すショートアーク型放電ランプでは、リード棒３またはリード線に対して間隙Ｋを介して１枚の導風板６を放射状に配置した場合を示すものであり、導風板６は封止管１２に取り付けられる。
【００３０】
本実施形態の発明によれば、ランプ点灯時、冷却風がショートアーク型放電ランプ１に導入されると、冷却風は、導風板６に沿ってリード棒３またはリード線に向かって導風され、さらにリード棒３またはリード線間に形成された間隙Ｋを介して流速が速められて通風されるので、リード棒３またはリード線を効果的に冷却することができる。なお、図７においては、導風板６とリード棒３またはリード線間に間隙Ｋを介在させる場合について示しているが、間隙Ｋを設けることなく、導風板６とリード棒３またはリード線と接触ないし近接するように配置してもよい。この場合は、導入された冷却風は導風板６によってリード棒３またはリード線に導風されて冷却される。
【００３１】
図８に示すショートアーク型放電ランプでは、リード棒３またはリード線に対して間隙Ｋを介して２枚の導風板６を放射状に配置した場合を示すものであり、導風板６は封止管１２に取り付けられる。
【００３２】
本実施形態によれば、ランプ点灯時、冷却風がショートアーク型放電ランプ１に導入されると、冷却風は、２枚の導風板６に沿ってリード棒３またはリード線に向かって導風され、さらにリード棒３またはリード線間に形成された間隙Ｋを介して流速が速められて通風されるので、リード棒３またはリード線を効果的に冷却することができる。なお、図８においても、一方の導風板６とリード棒３またはリード線間に間隙Ｋを介在しないように配置するようにしてもよい。この場合は、冷却風は一方の間隙Ｋを介在していない導風板６によってリード棒３またはリード線に導風され、他方の間隙Ｋを介して配置された導風板６によっては間隙Ｋに通風され、リード棒３またはリード線を冷却することが可能である。
【００３３】
次に、本発明の第７ないし第９の実施形態をそれぞれ図９ないし図１１を用いて説明する。
図９ないし図１１は、それぞれ第１ないし第３の実施形態に係るショートアーク型放電ランプにおける導風板と異なる形状を有する導風板６を用いた場合のショートアーク型放電ランプのリード棒３と導風体６との位置関係を示す図である。
【００３４】
図９に示すショートアーク型放電ランプでは、断面形状がリード棒３に対向する部分６１が鋭角を有する３枚のブロック状の導風板６を、リード棒３またはリード線に対して間隙Ｋを介して放射状に配置した場合を示すものである。
【００３５】
本実施形態の発明によれば、ランプ点灯時、冷却風がショートアーク型放電ランプ１の流入側通風口５１から口金５内に導入されると、冷却風は、導風板６の傾斜面に沿ってリード棒３またはリード線に向かって導風され、さらにリード棒３またはリード線間に形成された間隙Ｋを介して流速が速められて通風されるので、リード棒３またはリード線を効果的に冷却することができる。
図１０に示すショートアーク型放電ランプでは、断面形状がリード棒３に対向する部分６１が鋭角を有するブロック状の１個の導風板６を、リード棒３またはリード線に対して間隙Ｋを介して放射状に配置した場合を示すものである。
【００３６】
本実施形態によれば、ランプ点灯時、冷却風がショートアーク型放電ランプ１の流入側通風口５１から口金５内に導入されると、冷却風は、導風板６の傾斜面に沿ってリード棒３またはリード線に向かって導風され、さらにリード棒３またはリード線間に形成された間隙Ｋを介して流速が速められて通風されるので、リード棒３またはリード線を効果的に冷却することができる。なお、図１０においては、導風板６とリード棒３またはリード線間に間隙Ｋを介在させるように構成しているが、間隙Ｋを設けることなく、導風板６とリード棒３またはリード線と接触ないし近接するように配置してもよい。この場合は、導入された冷却風は導風板６によってリード棒３またはリード線に導風されて冷却される。
【００３７】
図１１に示すショートアーク型放電ランプでは、断面形状がリード棒３に対向する部分６１が鋭角を有するブロック状の２個の導風板６を、リード棒３またはリード線に対して間隙Ｋを介して放射状に配置した場合を示すものである。
【００３８】
本実施形態によれば、ランプ点灯時、冷却風がショートアーク型放電ランプ１の流入側通風口５１から口金５内に導入されると、冷却風は、各導風板６の傾斜面に沿ってリード棒３またはリード線に向かって導風され、さらにリード棒３またはリード線間に形成された間隙Ｋを介して流速が速められて通風されるので、リード棒３またはリード線を効果的に冷却することができる。なお、図１１においても、一方の導風板６とリード棒３またはリード線間に間隙Ｋを介在しないように配置するようにしてもよい。この場合は、冷却風は一方の導風板６によってリード棒３またはリード線面に導風され、間隙Ｋを介して配置された他方の導風板６によっては間隙Ｋを介して流速が速められて通風されるので、リード棒３またはリード線を効果的に冷却することが可能である。
【００３９】
次に、本発明の第１０ないし第１２の実施形態をそれぞれ図１２ないし図１４を用いて説明する。
図１２ないし図１４は、それぞれ第７ないし第９の実施形態に係るショートアーク型放電ランプにおいて口金５を用いない場合のショートアーク型放電ランプのリード棒と導風板との位置関係を示す図である。
【００４０】
図１２に示すショートアーク型放電ランプでは、断面形状がリード棒３に対向する部分６１が鋭角を有するブロック状の３個の導風板６を、リード棒３またはリード線に対して間隙Ｋを介して放射状に配置した場合を示すものである。
【００４１】
本実施形態によれば、ランプ点灯時、冷却風がショートアーク型放電ランプ１に導入されると、冷却風は、導風板６の傾斜面に沿ってリード棒３またはリード線に向かって導風され、さらにリード棒３またはリード線間に形成された間隙Ｋを介して流速が速められて通風されるので、リード棒３またはリード線を冷却することが可能となる。
【００４２】
図１３に示すショートアーク型放電ランプでは、断面形状がリード棒３に対向する部分６１が鋭角を有するブロック状の１個の導風板６を、リード棒３またはリード線に対して間隙Ｋを介して放射状に配置した場合を示すものである。
【００４３】
本実施形態によれば、ランプ点灯時、冷却風がショートアーク型放電ランプ１に導入されると、冷却風は、導風板６の傾斜面に沿ってリード棒３またはリード線に向かって導風され、さらにリード棒３またはリード線間に形成された間隙Ｋを介して流速が速められて通風されるので、リード棒３またはリード線を効果的に冷却することができる。なお、図１３においては、導風板６とリード棒３またはリード線間に間隙Ｋを介在させるように構成しているが、間隙Ｋを設けることなく、導風板６とリード棒３またはリード線と接触ないし近接するように配置してもよい。この場合は、導入された冷却風は導風板６によってリード棒３またはリード線に導風されて冷却される。
【００４４】
図１４に示すショートアーク型放電ランプでは、断面形状がリード棒３に対向する部分６１が鋭角を有するブロック状の２個の導風板６を、リード棒３またはリード線に対して間隙Ｋを介して放射状に配置した場合を示すものである。
【００４５】
本実施形態によれば、ランプ点灯時、冷却風がショートアーク型放電ランプ１に導入されると、冷却風は、各導風板６の傾斜面に沿ってリード棒３またはリード線に向かって導風され、さらにリード棒３またはリード線間に形成された間隙Ｋを介して流速が速められて通風されるので、リード棒３またはリード線を効果的に冷却することができる。
【００４６】
上述のごとく、図１４においても、先に述べたと同様に、一方の導風板６とリード棒３またはリード線間に間隙Ｋを介在しないように配置するようにしてもよい。
【００４７】
なお、第７ないし第１２の実施形態に係る導風板６は、断面形状がリード棒３に対向する部分６１が鋭角を有するブロック状の導風板を用いる場合について説明したが、前記対向する部分６１が鋭角に限定されず、少なくとも１８０度以内の角度を有するものでも適用可能であり、また、前記ブロック状の導風板に限定されず、略「く」字状の板状体を用いることも可能である。
【００４８】
このように第４ないし第１２の実施形態の発明においても、段継ぎガラス４とリード棒３との封着部に何等の負荷をかけずに、リード棒３を冷却することができ、リード棒３を効果的に冷却することができ、それに伴い、段継ぎガラス４の封着部４１も効果的に冷却することができるので、電極２と封着部４１間の距離を短くして、ランプ長を短くすることができ、ランプの小型化や高出力化が可能となる。またランプを小型化しない場合であっても、冷却風を送る冷却装置の小型化や冷却ファンの静穏化等が可能となる。
【００４９】
なお、本発明は外部リード棒と外部リード棒に接続されるリード線を効率良く冷却するためのものであり、上述したように、外部リード棒が段継ぎガラスによって封着されているショートアーク型放電ランプについて説明したが、それ以外に、外部リード棒が金属箔に接続され、その金属箔が圧着封止されている構造のショートアーク型放電ランプにも適用できる。この場合、圧着封止から外部に突出した外部リード棒、あるいは外部リード棒に接続されたリード線を冷却することができるものである。
【００５０】
【発明の効果】
請求項１および請求項３に記載の発明によれば、リード棒が貫通する段継ぎガラスの外方に形成される口金の内部空間に、リード棒またはリード線から間隙を介して設けられ、通風口から導入された冷却風を前記間隙に導風する導風板を設けたので、段継ぎガラスとリード棒との封着部に何等の負荷をかけずに、封着部を冷却することができる。その結果、電極と封着部間の距離を短くして、ランプ長を短くすることができ、ランプの小型化や高出力化が可能となり、またランプを小型化しない場合であっても、冷却風を供給する冷却装置の小型化や冷却ファンの静穏化等が可能となる。
【００５１】
請求項２および請求項３に記載の発明によれば、リード棒が貫通する段継ぎガラスの外方に形成される空間に、リード棒またはリード線から間隙を介して設けられ、導入された冷却風を前記間隙に導風する導風板を設けたので、段継ぎガラスとリード棒との封着部に何等の負荷をかけずに、封着部を冷却することができる。その結果、電極と封着部間の距離を短くして、ランプ長を短くすることができ、ランプの小型化や高出力化が可能となり、またランプを小型化しない場合であっても、冷却風を送る冷却装置の小型化や冷却ファンの静穏化等が可能となる。
【００５２】
請求項４記載の発明によれば、導風板を、リード棒から放射状に複数枚配置したので、請求項１および請求項２に記載の発明の効果に加えて、リード棒またはリード棒に接続されたリード線をより確実に冷却することができ、より一層封着部を冷却することが可能となる。
【図面の簡単な説明】
【図１】本発明の第１の実施形態に係るショートアーク型放電ランプの構成を示す断面図である。
【図２】図１に示すショートアーク型放電ランプの軸方向から見た通風口におけるリード棒と４枚の導風板との位置関係を示す図である。
【図３】図１に示すショートアーク型放電ランプを用いたプロジェクタ等の投影装置の一例を示す図である。
【図４】本発明の第２の実施形態に係るショートアーク型放電ランプの軸方向から見た通風口におけるリード棒と１枚の導風板が設けられた導風板との位置関係を示す図である。
【図５】本発明の第３の実施形態に係るショートアーク型放電ランプの軸方向から見た通風口におけるリード棒と２枚の導風板が設けられた導風板との位置関係を示す図である。
【図６】本発明の第４の実施形態に係るショートアーク型放電ランプにおけるリード棒と４枚の導風板との位置関係を示す斜視図である。
【図７】本発明の第５の実施形態に係るショートアーク型放電ランプにおけるリード棒と１枚の導風板との位置関係を示す斜視図である。
【図８】本発明の第６の実施形態に係るショートアーク型放電ランプにおけるリード棒と２枚の導風板との位置関係を示す斜視図である。
【図９】本発明の第７の実施形態に係るショートアーク型放電ランプにおけるリード棒と３枚の導風板との位置関係を示す斜視図である。
【図１０】本発明の第８の実施形態に係るショートアーク型放電ランプにおけるリード棒と１枚の導風板との位置関係を示す斜視図である。
【図１１】本発明の第９の実施形態に係るショートアーク型放電ランプにおけるリード棒と２枚の導風板との位置関係を示す斜視図である。
【図１２】本発明の第１０の実施形態に係るショートアーク型放電ランプにおけるリード棒と３枚の導風板との位置関係を示す斜視図である。
【図１３】本発明の第１１の実施形態に係るショートアーク型放電ランプにおけるリード棒と１枚の導風板との位置関係を示す斜視図である。
【図１４】本発明の第１２の実施形態に係るショートアーク型放電ランプにおけるリード棒と２枚の導風板との位置関係を示す斜視図である。
【図１５】従来技術に係るショートアーク型放電ランプの構成を示す断面図である。
【符号の説明】
１  ショートアーク型放電ランプ
１１  発光管
１２  封止管
２  放電電極
３  リード棒
４  段継ぎガラス
４１  封着部
５  口金
５１  流入側通風口
５２  流出側通風口
６  導風板
６１  導風板のリード棒に対向する部分
Ｋ  間隙
【図１】
0003674574.tif 000002
【図２】
0003674574.tif 000003
【図３】
0003674574.tif 000004
【図４】
0003674574.tif 000005
【図５】
0003674574.tif 000006
【図６】
0003674574.tif 000007
【図７】
0003674574.tif 000008
【図８】
0003674574.tif 000009
【図９】
0003674574.tif 000010
【図１０】
0003674574.tif 000011
【図１１】
0003674574.tif 000012
【図１２】
0003674574.tif 000013
【図１３】
0003674574.tif 000014
【図１４】
0003674574.tif 000015
【図１５】
0003674574.tif 000016